(57)【要約】【課題】プリンターに接続されたケーブルを、プリンター筐体を迂回させることなく、配線できるプリンターを提供すること。【解決手段】ロール紙プリンター１のプリンター筐体１１の底面部分１２には、プリンター筐体１１の前面部分１３に露出する前端開口１４ａを備える溝部１４が形成されている。また、プリンター筐体１１の底面部分１２の後端部分は上方に窪む凹部２６が形成されている。凹部２６の端面部分２７には直流電力の供給を受けるための電源コネクター３２などが設けられており、溝部１４と凹部２６とは連通している。電源コネクター３２に接続されたＤＣケーブル５３は、溝部１４に挿通させられ、溝部１４の前端開口１４ａからロール紙プリンター１の前方に引き出される。【選択図】図１
2011093264.tif 000002
【特許請求の範囲】
【請求項１】
ケーブル接続用のコネクターが取り付けられているプリンター筐体を有し、
前記プリンター筐体の底面部分には、ケーブル配線用の溝部が形成されていることを特徴とするプリンター。
【請求項２】
前記プリンター筐体の前面部分には、前記溝部の前端開口が露出していることを特徴とする請求項１に記載のプリンター。
【請求項３】
前記溝部の幅は、前端部が最も狭くなっていることを特徴とする請求項２に記載のプリンター。
【請求項４】
前記プリンター筐体の底面部分の後側部分には、上側に窪む凹部が形成されており、
前記コネクターは、前記凹部の端面部分に取り付けられており、
前記溝部は前記凹部に連通していることを特徴とする請求項１ないし３のうちのいずれかの項に記載のプリンター。
【請求項５】
前記プリンター筐体の後面部分に着脱可能に取り付けられているケーブルカバーを有し、
前記プリンター筐体の後面部分には、前記凹部の後端開口が露出しており、
前記ケーブルカバーは、前記凹部の後端開口を覆っていることを特徴とする請求項４に記載のプリンター。
【発明の詳細な説明】
【技術分野】
【０００１】
本発明は、プリンターに接続されたケーブル類を、プリンター筐体を迂回させることなく配線することが可能なプリンターに関する。
【背景技術】
【０００２】
レシートなどの発行に用いられるプリンターは、会計処理装置やキャッシュドロワー装置（銭箱装置）などとケーブルを介して接続された状態で店舗の会計カウンターなどに設置される。特許文献１には、これらの機器との接続用のケーブルや電源ケーブルを接続するための複数のコネクターを備えるロール紙プリンターが記載されている。同文献では、プリンター筐体の底面部分の後側部分に凹部が形成されており、この凹部において上下方向に延びて後方を向いている端面部分に各コネクターが取り付けられている。
【先行技術文献】
【特許文献】
【０００３】
【特許文献１】特開２００２−１３７４９号公報
【発明の概要】
【発明が解決しようとする課題】
【０００４】
コネクターがプリンター筐体の後側に取り付けられていると、コネクターに接続されたケーブルをプリンターの後方に引き出すことは、容易である。しかし、ケーブルを介して接続される機器や電源がプリンターの前方に配置されている場合には、コネクターに接続したケーブルをプリンターの後方からプリンター筐体を迂回させて、プリンターの前方に引き回さなければならないという問題がある。ここで、プリンター筐体を迂回させてケーブルを配線すると、配線したケーブルが邪魔になり、プリンターの両隣に機器などを密着させて配置することができなくなる。
【０００５】
本発明の課題は、このような点に鑑みて、プリンターに接続されたケーブルを、プリンター筐体を迂回させることなく配線できるプリンターを提供することにある。
【課題を解決するための手段】
【０００６】
上記課題を解決するために、本発明のプリンターは、
ケーブル接続用のコネクターが取り付けられているプリンター筐体を有し、
前記プリンター筐体の底面部分には、ケーブル配線用の溝部が形成されていることを特徴とする。
【０００７】
本発明によれば、コネクターに接続されたケーブルを、プリンター筐体の底面部分に形成されたケーブル配線用の溝部に挿通させて配線することができる。従って、ケーブルを、プリンター筐体を迂回するように、プリンターの側方などで引き回す必要がない。よって、プリンターの両隣に機器などを密着させて配置することができる。また、プリンター筐体の底面部分に形成された溝部にケーブルを挿通できるので、例えば、プリンター筐体の底面部分の四隅に製品の足となる突起を設けるとともに、これらの突起の高さ寸法を長くすることによってプリンター筐体の下方にケーブル配線用の空間を形成する場合と比較して、プリンターの高さ寸法の増加を抑えることができる。ここで、プリンターの高さ寸法が増加すると、プリンターの上方に空間的な制約がある設置場所では、プリンターの操作や記録紙として用いられるロール紙の交換作業に支障をきたすことがあるが、本発明によれば、プリンターの高さ寸法の増加を抑制できるので、プリンターの操作性を低下させることがなく、プリンターの設置の自由度が阻害されない。
【０００８】
本発明において、前記プリンター筐体の前面部分には、前記溝部の前端開口が露出していることが望ましい。このようにすれば、コネクターに接続されたケーブルを溝部の前端開口からプリンター筐体の前方に引き出すことができる。従って、例えば、ケーブルを介して接続される機器や電源がプリンターの前方に配置されており、コネクターがプリンター筐体の後側に取り付けられている場合でも、ケーブルを、プリンター筐体を迂回するように配線する必要がない。
【０００９】
本発明において、前記溝部の幅は、前端部が最も狭くなっていることが望ましい。このようにすれば、ケーブルをケーブル配線用の溝部に挿通させたときに、前端部によってケーブルがプリンター幅方向に移動してしまうことを規制できる。従って、ケーブルを溝部の前端開口から引き出した後の引き回し作業が容易になる。
【００１０】
本発明において、前記プリンター筐体の底面部分の後側部分には、上側に窪む凹部が形成されており、前記コネクターは、前記凹部の端面部分に取り付けられており、前記溝部は前記凹部に連通していることが望ましい。このようにすれば、プリンター筐体の底面部分においてコネクターが取り付けられている部位とケーブル配線用の溝部とが連通するので、コネクターに接続されたケーブルを、プリンターの後方に引き出すことなく、溝部を介してプリンターの前方に引き出すことができる。
【００１１】
この場合において、コネクターおよびこのコネクターに接続されたケーブルの接続部分を保護するためには、前記プリンター筐体の後面部分に着脱可能に取り付けられているケーブルカバーを有し、前記プリンター筐体の後面部分には、前記凹部の後端開口が露出しており、前記ケーブルカバーは、前記凹部の後端開口を覆っていることが望ましい。
【発明の効果】
【００１２】
本発明によれば、コネクターに接続されたケーブルを、プリンター筐体の底面部分に形成されたケーブル配線用の溝部に挿通させて配線することができる。従って、ケーブルを、プリンター筐体を迂回するようにプリンターの側方などで引き回す必要がない。よって、プリンターの両隣に機器などを密着させて配置することができる。
【図面の簡単な説明】
【００１３】
【図１】本発明を適用したロール紙プリンターの外観斜視図である。
【図２】プリンター筐体の斜視図である。
【図３】プリンター筐体の背面図である。
【図４】ケーブルカバーの斜視図である。
【図５】溝部を利用してケーブルを引き回す別の例を説明するための説明図である。
【図６】溝部を利用してケーブルを引き回す別の例を説明するための説明図である。
【図７】ロール紙プリンターにＡＣアダプターユニットを装着した例の説明図である。
【発明を実施するための形態】
【００１４】
以下に、図面を参照して、本発明を適用したロール紙プリンターの実施の形態を説明する。
【００１５】
（ロール紙プリンター）
図１は本発明を適用したロール紙プリンターの外観斜視図である。ロール紙プリンター１は、レシートなどの発行に用いられるものであり、不図示の会計処理装置およびキャッシュドロワー装置と接続された状態で店舗の会計カウンター２に設置されている。ロール紙プリンター１と会計処理装置はＲＳ−２３２ケーブル３を介して接続されており、ロール紙プリンター１とキャッシュドロワー装置とはドロワー接続用ケーブル４を介して接続されている。また、ロール紙プリンター１は直流電力により動作するものであり、ロール紙プリンター１にはＡＣアダプター５が接続されている。ＡＣアダプター５は、ＡＣインレット５１ａが形成されたＡＣアダプター本体５１と、一対のプラグピン５２ａを備えるとともにＡＣインレット５１ａに着脱可能に接続されているＡＣケーブル５２と、ＡＣアダプター本体５１から延びているＤＣケーブル５３を備えており、ロール紙プリンター１にはＤＣケーブル５３が接続されている。
【００１６】
ロール紙プリンター１のプリンター筐体１１の底面部分１２には、プリンター筐体１１の前面部分１３に前端開口１４ａが露出しているケーブル配線用の溝部１４が形成されている。ＲＳ−２３２ケーブル３、ドロワー接続用ケーブル４およびＤＣケーブル５３は、プリンター筐体１１の後側から溝部１４に挿通され、溝部１４と会計カウンター２の表面２ａとの間の隙間Ａを配線され、前端開口１４ａを介してプリンター筐体１１の前方に引き出されている。プリンター筐体１１の後面部分１５の下端側部分にはケーブルカバー６が着脱可能に取り付けられており、各ケーブル３、４、５３のロール紙プリンター１への接続部分を保護している。
【００１７】
（プリンター筐体）
図２（ａ）はプリンター筐体を前方斜め上から見た斜視図であり、図２（ｂ）はプリンター筐体を後方斜め下から見た斜視図である。図３はプリンター筐体の背面図である。
【００１８】
プリンター筐体１１は、前側に向かって下方に傾斜する上面部分１６と、上面部分１６の前端の縁から下側に向かって後方に傾斜した後に下側に向かって延びている前面部分１３と、上面部分１６のプリンター幅方向の左右の縁から下方に向かって延びた後に、内側に凹む段部を介してさらに下方に向かって延びている左右の側面部分１７、１８と、上面部分１６の後側の縁から後側に向かって下方に湾曲した後に下側に向かって僅かに前方に傾斜している後面部分１５と、プリンター筐体１１の底を規定している底面部分１２を備えている。プリンター筐体１１の上面部分１６には、前側開閉蓋１９および後側開閉蓋２０が取り付けられている。前側開閉蓋１９はその前端縁部分を中心にして回動して開閉するようになっており、後側開閉蓋２０はその後端縁部分を中心に回動して開閉するようになっている。前側開閉蓋１９と後側開閉蓋２０との間には所定幅の矩形の記録紙排出口２１が形成されている。記録紙排出口２１の右側には、上面部分１６の縁部分に後側開閉蓋２０と開閉するための開閉操作ボタン２２が設けられている。開閉操作ボタン２２を下方に向かって押し込むと、後側開閉蓋２０のロックが解除され、後側開閉蓋２０はばね力などの付勢力によって上方に回動して開いた状態になる。後側開閉蓋２０が開くとロール紙を収納するためのロール紙収納部が開放状態になるので、ロール紙をロール紙収納部に装填可能となる。
【００１９】
開閉操作ボタン２２の前端縁２２ａは右側に向かって前方に傾斜しており、開閉操作ボタン２２の前側に隣接する前側開閉蓋１９の右側の後端縁部分１９ａは開閉操作ボタン２２の前端縁２２ａの傾斜と対応するように右側に向かって前方に傾斜するように切り欠かれている。このような形状を備える結果、ロール紙プリンター１の前側から操作者が右手の指で開閉操作ボタン２２を操作する際に、操作者の指が開閉操作ボタン２２の前側に隣接しているプリンター筐体１１の部位と干渉することが回避あるいは低減されている。従って、本形態のロール紙プリンター１では、後側開閉蓋２０の開閉動作が行いやすく、ロール紙の装填作業が容易である。
【００２０】
開閉操作ボタン２２の後側には、紙送りスイッチ２３、複数個の動作状態表示ランプ２４などが配列されている。プリンター筐体１１の前面部分１３には、電源スイッチ２５が設けられている。
【００２１】
図２（ｂ）に示すように、プリンター筐体１１の底面部分１２の後側部分には、上側に窪む凹部２６が形成されている。凹部２６は、プリンター上下方向に延びて後方を向いている端面部分２７と、端面部分２７の上端縁からプリンター前後方向を後側に向かって一定幅で延びる下向き面部分２８と、下向き面部分２８の後端縁から後側に向かって上方に傾斜している傾斜面部分２９を備えている。端面部分２７、下向き面部分２８および傾斜面部分２９は、プリンター幅方向の全域に渡って形成されている。また、凹部２６は、プリンター筐体１１の後面部分１５の下端部分を切り欠いて形成されており、凹部２６の後端開口２６ａは、プリンター筐体１１の後面部分１５に露出している。
【００２２】
凹部２６の端面部分２７には会計処理装置を接続するためのＲＳ−２３２コネクター３０およびＵＳＢコネクター３１がプリンター幅方向に所定の間隔を開けて取り付けられている。ＲＳ−２３２コネクター３０およびＵＳＢコネクター３１の間には、直流電力の供給を受けるための電源コネクター３２が設けられている。傾斜面部分２９には、プリンター幅方向の一方の端部分にキャッシュドロワー装置を接続するためのドロワーキックコネクター３３が取り付けられている。ＲＳ−２３２コネクター３０、ＵＳＢコネクター３１、電源コネクター３２は後方を向いており、ドロワーキックコネクター３３は後方斜め下を向いている。
【００２３】
端面部分２７のプリンター幅方向の両端部分には、ケーブルカバー６に設けられた突起６８ｃ、６８ｄ（図４参照）を受け入れるための係止孔２７ａ、２７ｂが形成されている。傾斜面部分２９の後側にはプリンター幅方向に係止板３４が架け渡されており、係止板３４には、ケーブルカバー６に設けられたフック６８ａ、６８ｂ（図４参照）を係止するための係止部３４ａ、３４ｂが形成されている。
【００２４】
溝部１４は、底面部分１２におけるプリンター幅方向のほぼ中央でプリンター前後方向に延びており、凹部２６に連通している。溝部１４の前端部分１４ｂは後側に向かって一定幅で延びている。溝部１４の前端部分１４ｂの幅寸法、すなわち、溝部１４の前端開口１４ａの幅寸法は、ロール紙プリンター１に同時に接続される可能性が高い複数本のケーブルの径の合計寸法に基づいて規定されている。より具体的には、会計処理装置との接続に用いられるＲＳ−２３２ケーブル３とＵＳＢケーブルとは選択的に使用されるので、前端開口１４ａの幅寸法は、ＲＳ−２３２ケーブル３、ドロワー接続用ケーブル４およびＤＣケーブル５３の各径寸法の合計寸法と、ＵＳＢケーブル、ドロワー接続用ケーブル４およびＤＣケーブル５３の各径寸法の合計寸法のうち、長い方の合計寸法よりも僅かに長い寸法となっている。なお、前端開口１４ａの幅寸法を、ＲＳ−２３２ケーブル３、ＵＳＢケーブル、ドロワー接続用ケーブル４およびＤＣケーブル５３の４本のケーブルの各径寸法の合計寸法よりも僅かに長い寸法としておいてもよい。前端部分１４ｂと凹部２６を連通させている溝部１４の後側部分１４ｃは、前端部分１４ｂよりも幅広に形成されている。ここで、底面部分１２に溝部１４が設けられることにより、底面部分１２のプリンター幅方向の縦断面形状が門型形状となるので、プリンター筐体１１における底面部分１２の剛性が高まっている。
【００２５】
底面部分１２の四隅にはプリンター筐体１１の足となる４本の突起３５が形成されている。４本の突起３５の近傍には、それぞれネジ孔３６が形成されている。
【００２６】
プリンター筐体１１を会計カウンター２に設置した状態では、図３に示すように、会計カウンター２の表面２ａと溝部１４との間には隙間Ａが形成される。ここで、溝部１４の前端部分１４ｂおよび後側部分１４ｃの深さ寸法は、突起３５の高さ寸法を合わせた合計寸法がＤＣケーブル５３、ＲＳ−２３２ケーブル３、ＵＳＢケーブル、ドロワー接続用ケーブル４のうち最も太いケーブルの径寸法よりも僅かに長い寸法とされている。
【００２７】
（ケーブルカバー）
図４はケーブルカバーの斜視図である。ケーブルカバー６は、樹脂製であり、略台形の左右一対のカバー側板部分６１、６２と、これら一対のカバー側板部分６１、６２の上端に架け渡された上側カバー板部分６３と、後端に架け渡された後側カバー板部分６４と、前端の上端部分に架け渡された幅の狭い前側カバー板部分６５を備えている。一対のカバー側板部分６１、６２の下端縁部分には、それぞれ半円形の切り欠き部６６、６７が形成されている。図１において一点鎖線で示すように、これらの切り欠き部６６、６７は、コネクター３０、３２、３３に接続されたケーブル３、４、５３をロール紙プリンター１の側方に引き回す場合などに、これらのケーブル３、４、５３を挿通させるためのものである。
【００２８】
また、ケーブルカバー６は、左側カバー側板部分６１の前端縁の内側、前側カバー板部分６５の下端縁、および右側カバー側板部分６２の前端縁の内側から前方に突出する係止板部分６８を備えている。係止板部分６８において前側カバー板部分６５と右側カバー側板部分６２との接合部近傍の部位は、ケーブルカバー６をプリンター筐体１１に取り付けたときに、ドロワーキックコネクター３３に接続されたドロワー接続用ケーブル４と干渉しないように切り欠き部６９が形成されている。
【００２９】
ケーブルカバー６をプリンター筐体１１に取り付ける際には、係止板部分６８を凹部２６の後端開口２６ａに挿入する。係止板部分６８が凹部２６の後端開口２６ａに挿入されると、係止板部分６８はプリンター筐体１１の左右の側面部分１７、１８の内側面および係止板３４の下端面部分に当接する。そして、係止板部分６８に設けられている左右のフック６８ａ、６８ｂが係止板３４の係止部３４ａ、３４ｂに係止され、係止板部分６８の前端縁から突出している左右の突起６８ｃ、６８ｄが端面部分２７に形成されている係止孔２７ａ、２７ｂに挿入される。ケーブルカバー６がプリンター筐体１１に取り付けられると、ケーブルカバー６が凹部２６の後端開口２６ａを上方および後方から被い、コネクター３０〜３３およびコネクター３０、３２、３３に接続されたケーブル３、４、５３の接続部分を保護する。
【００３０】
（作用効果）
本例によれば、コネクター３０〜３３に接続された複数本のケーブルを、プリンター筐体１１の底面部分１２の溝部１４に挿通して、溝部１４の前端開口１４ａからロール紙プリンター１の前方に配線することができる。従って、ケーブルを介して接続される機器や電源がロール紙プリンター１の前方に配置されている場合でも、ケーブルを、プリンター筐体１１を迂回するようにして、プリンターの前方に引き回す必要がない。よって、ロール紙プリンター１の両隣に機器などを密着させて配置することができる。
【００３１】
また、プリンター筐体１１の底面部分１２に形成した溝部１４にケーブルを挿通できるので、例えば、プリンター筐体１１の底面部分１２の四隅の突起３５の高さ寸法を長くすることによってプリンター筐体１１の下方にケーブル配線用の空間を形成する場合と比較して、ロール紙プリンター１の高さ寸法の増加を抑えることができる。ここで、ロール紙プリンター１の高さ寸法が増加すると、ロール紙プリンター１の上方に空間的な制約がある設置場所では、ロール紙プリンター１の操作やロール紙の交換作業に支障をきたすことがあるが、本例によれば、ロール紙プリンター１の高さ寸法の増加を抑制できるので、ロール紙プリンター１の操作性を低下させることがなく、ロール紙プリンター１の設置の自由度が阻害されない。
【００３２】
また、本例では、溝部１４は、その前端部（前端開口１４ａおよび前端部分１４ｂ）が溝部１４において最も狭い幅となっているとともに、溝部１４の前端開口１４ａおよび前端部分１４ｂは、ロール紙プリンター１に同時に接続されるケーブルの径寸法に基づいて規定されている。この結果、ケーブルを溝部１４に挿通させたときに、前端開口１４ａおよび前端部分１４ｂによってケーブルが幅方向に移動してしまうことを規制できるので、ケーブルを溝部１４の前端開口１４ａから引き出した後の引き回し作業が容易になる。また、溝部１４において凹部２６と連通している後側部分１４ｃの幅が前端部分１４ｂの幅よりも広いので、コネクター３０〜３３に接続されたケーブルを溝部１４に挿通させることが容易である。
【００３３】
さらに、本例では、プリンター筐体１１の底面部分１２の後側部分に形成された凹部２６にコネクター３０〜３３が取り付けられており、凹部２６と溝部１４とは連通している。この結果、コネクター３０〜３３に接続されたケーブルをロール紙プリンター１の後方に引き出すことなく、溝部１４を介してロール紙プリンター１の前方に引き出すことができるので、ケーブルが会計カウンター２上で邪魔になることがない。
【００３４】
（溝部を利用してケーブルを引き回す別の例）
図５、図６は、会計カウンターなどの天板に形成されたケーブル配線用の貫通孔を利用してプリンター筐体のコネクターに接続されたケーブルを引き回す例を説明するための説明図である。図５はロール紙プリンターをプリンター前方の上から見た状態を示しており、図６はロール紙プリンターをプリンター後方の下方から見た状態を示している。
【００３５】
図５に示すように、本例では、ロール紙プリンター１の設置場所となる会計カウンター２の天板２ｂにはケーブル配線用の貫通孔２ｃが形成されている。プリンター筐体１１に取り付けられたコネクター３０、３２、３３に接続されたケーブル３、４、５３は、天板２ｂの上側から貫通孔２ｃを介して天板２ｂの下側に延びている。ロール紙プリンター１は、図５において二点鎖線で示される天板２ｂの設置部位２ｄに、貫通孔２ｃを上方から被うように設置される。
【００３６】
ここで、プリンター筐体１１を設置部位２ｄに配置する際には、図６に示すように、コネクター３０、３２、３３に接続されたケーブル３、４、５３を凹部２６から溝部１４に挿通して、溝部１４内をその途中までプリンター前方に引き出し、しかる後に下方に屈曲させた状態とする。このようにすれば、ケーブル３、４、５３はプリンター筐体１１の底面部分１２の中央部分から下方に向かって引き出された状態となるので、プリンター筐体１１を設置部位２ｄに配置して貫通孔２ｃを被う際に、プリンター筐体１１の下方でケーブル３、４、５３が邪魔になることがない。また、ケーブル３、４、５３を設置部位２ｄの外側で引き回す必要がないので、天板２ｂ上にケーブル３、４、５３が露出しない。従って、会計カウンター２上に空きスペースを広く確保できる。
【００３７】
なお、このようなケーブル３、４、５３の配線は、会計カウンター２などの天板２ｂにロール紙プリンター１を設置する場合だけでなく、ロール紙プリンター１を壁掛け状態で設置する場合にも適用できる。すなわち、壁にケーブル配線用の貫通孔を形成しておき、この貫通孔を介してケーブルを配線する場合に溝部１４を利用した同様の配線を行えば、プリンター筐体１１で壁の貫通孔を覆うことができる。
【００３８】
ここで、本例のようにケーブルを配線する場合には、溝部１４に前端開口１４ａを設けておく必要はない。
【００３９】
（ロール紙プリンターにＡＣアダプターユニットを取り付けた参考例）
図７（ａ）はロール紙プリンターにＡＣアダプターユニットを取り付けた状態を示す斜視図である。図７（ｂ）はＡＣアダプターユニットの斜視図である。図７では、ＡＣアダプター５のＡＣインレット５１ａにＡＣケーブル５２が接続されていない状態を示している。
【００４０】
図７を参照して、ロール紙プリンター１にＡＣアダプターユニットを取り付けた参考例を説明する。図７（ａ）に示すように、ＡＣアダプターユニット７０はプリンター筐体１１の底面部分１２に着脱可能に取り付けられる。図７（ｂ）に示すように、ＡＣアダプターユニット７０は、上端開口７１ａを備えた直方体形状の収納箱７１とＡＣアダプター５を備えている。ＡＣアダプター５は、図１においてロール紙プリンター１に接続されているものと同一のものであり、直方体形状のＡＣアダプター本体５１と、ＡＣアダプター本体５１から延びているＤＣケーブル５３と、ＡＣアダプター本体５１のＡＣインレット５１ａに接続されるＡＣケーブル５２を備えている。
【００４１】
ＡＣアダプター本体５１は、その長手方向が収納箱前後方向と一致するようにして、収納箱７１の収納箱幅方向の中央から僅かに右側に寄った中央右寄り部位７１Ａに収納されている。ＡＣアダプター本体５１は、収納箱７１に収納された状態で、その上端部分５１ｂが収納箱７１の上端開口７１ａから僅かに突出している。
【００４２】
ＤＣケーブル５３は、先端に電源コネクター３２に接続するためのケーブル側コネクター５３ａが取り付けられている。また、ＤＣケーブル５３は、ケーブル側コネクター５３ａとＡＣアダプター本体５１との間に、上端開口７１ａの側から見たときに８の字形状に束ねられた束ね部分５３ｂを備えている。束ね部分５３ｂは、８の字形状の長手方向がＡＣアダプター本体５１の長手方向と平行になるようにして、収納箱７１の中央右寄り部位７１Ａの左側に隣接する左側部位７１Ｂに収納されている。より詳細には、左側部位７１Ｂにおける収納箱７１の底板部分７２には、収納箱前後方向において所定間隔で対峙する一対のケーブル巻取り用突起７３が形成されており、これら一対のケーブル巻取り用突起７３の中間位置には、収納箱幅方向で対峙する一対のケーブルガイド用突起７４が形成されている。束ね部分５３ｂは、８の字形状の長手方向の両側の一対の湾曲部分が一対のケーブル巻取り用突起７３に巻き付けられており、８の字形状の交差部分が一対のケーブルガイド用突起７４の内側に位置させられている。
【００４３】
収納箱７１の後板部分７５において中央右寄り部位７１Ａと対峙している部分には矩形の開口部７６が形成されている。ＡＣアダプター本体５１が収納箱７１に収納された状態では、開口部７６からＡＣアダプター本体５１に形成されたＡＣインレット５１ａが露出する。ＡＣインレット５１ａには、ＡＣケーブル５２が収納箱７１の外側から着脱可能に接続される。ＡＣインレット５１ａを外部に露出させることは、製品において万が一発煙等が起きた場合に、電源を遮断させる手段として必要な設計要件である。
【００４４】
収納箱７１の底板部分７２において中央右寄り部位７１Ａを挟んだ両側には、中心に貫通穴７７ａを備えた円柱形状の一対の収納箱固定用突起７７が形成されている。また、収納箱７１の前板部分７８の収納箱幅方向の中央の上端部分には、上端開口７１ａよりも上方へ突出する突出部７８ａが形成されている。
【００４５】
ロール紙プリンター１にＡＣアダプターユニットを取り付ける際には、ＤＣケーブル５３のケーブル側コネクター５３ａは上端開口７１ａから上方に引き出して、電源コネクター３２に接続する。そして、収納箱７１の底板部分７２の下方から、収納箱固定用突起７７の貫通穴７７ａ（前方２本は不図示）を貫通してプリンター筐体１１の底面部分１２のネジ孔３６に至るネジ（不図示）を捻じ込む。
【００４６】
ここで、プリンター筐体１１の底面部分１２に形成されている溝部１４の後側部分１４ｃは、その幅がＡＣアダプター本体５１の収納箱幅方向における幅寸法よりも長くなるように形成されており、ＡＣアダプター本体５１の上端部分５１ｂを溝部１４内に受け入れることが可能となっている。従って、ＡＣアダプターユニット７０がロール紙プリンター１に取り付けられると、ＡＣアダプター本体５１において収納箱７１の上端開口７１ａから上方に突出している上端部分５１ｂは、プリンター筐体１１の底面部分１２の溝部１４の後側部分１４ｃに挿入された状態となる。また、前板部分７８の突出部７８ａは、溝部１４の前端開口１４ａを閉鎖する。
【００４７】
本例によれば、ＡＣアダプター本体５１において収納箱７１の上端開口７１ａから上方に突出している上端部分５１ｂを、プリンター筐体１１の底面部分１２に形成した溝部１４の後側部分１４ｃに挿入することができるので、収納箱７１の高さを、収納箱７１内に収納しているＡＣアダプター本体５１の高さと同程度かそれよりも低くすることができる。この結果、ＡＣアダプターユニット７０をロール紙プリンター１に取り付けたときに、装置全体の高さ寸法の増加を抑えることができるので、ロール紙の交換作業などの操作性を維持できる。
【符号の説明】
【００４８】
１・ロール紙プリンター、２・会計カウンター、２ａ・表面、２ｂ・天板、２ｃ・貫通孔、２ｄ・設置部位、３・ＲＳ―２３２ケーブル、４・ドロワー接続用ケーブル、５・ＡＣアダプター、６・ケーブルカバー、１１・プリンター筐体、１２・底面部分、１３・前面部分、１４・溝部、１４ａ・前端開口、１４ｂ・前端部分、１４ｃ・後側部分、１５・後面部分、１６・上面部分、１７・１８・側面部分、１９・前側開閉蓋、１９ａ・後端縁部分、２０・後側開閉蓋、２１・記録紙排出口、２２・開閉操作ボタン、２２ａ・前端縁、２３・紙送りスイッチ、２４・動作状態表示ランプ、２５・電源スイッチ、２６・凹部、２６ａ・後端開口、２７・端面部分、２７ａ・２７ｂ・係止孔、２８・下向き面部分、２９・傾斜面部分、３０・ＲＳ−２３２コネクター、３１・ＵＳＢコネクター、３２・電源コネクター、３３・ドロワーキックコネクター、３４・係止板、３４ａ・３４ｂ・係止部、３５・突起、３６・ネジ孔、５１・ＡＣアダプター本体、５１ａ・ＡＣインレット、５１ｂ・上端部分、５２・ＡＣケーブル、５２ａ・プラグピン、５３・ＤＣケーブル、５３ａ・ケーブル側コネクター、５３ｂ・束ね部分、６１・カバー側板部分、６１・左側カバー側板部分、６２・右側カバー側板部分、６３・上側カバー板部分、６４・後側カバー板部分、６５・前側カバー板部分、６６・６７・切り欠き部、６８ａ・６８ｂ・フック、６８・係止板部分、６８ｃ・６８ｄ・突起、６９・切り欠き部、７０・ＡＣアダプターユニット、７１・収納箱、７１ａ・上端開口、７１Ａ・中央右寄り部位、７１Ｂ・左側部位、７２・底板部分、７３・ケーブル巻取り用突起、７４・ケーブルガイド用突起、７５・後板部分、７６・開口部、７７ａ・貫通穴、７７・収納箱固定用突起、７８・前板部分、７８ａ・突出部
【図１】
2011093264.tif 000003
【図２】
2011093264.tif 000004
【図３】
2011093264.tif 000005
【図４】
2011093264.tif 000006
【図５】
2011093264.tif 000007
【図６】
2011093264.tif 000008
【図７】
2011093264.tif 000009